(57)【要約】【課題】所望の番組を開始から終了まで、簡単に、確実に記録できるようにした番組記録装置及び方法を提供する。【解決手段】多くの場合、テレビジョン放送番組は、番組の開始時刻から、３０分或いは１時間単位で番組が放送される。このことから、３０分或いは１時間を単位として番組を管理していくことができる。番組の記録開始が入力されると、番組の開始時刻から、３０分或いは１時間単位で番組が放送されるものとして、番組の開始時刻及び終了時刻が設定される。このようにして設定された番組の開始時刻から終了時刻の間、受信放送が記録される。【選択図】図５
2006320011.tif 000002
【特許請求の範囲】
【請求項１】
受信中の番組を記録するためのコマンドを与える手段と、
上記コマンドが与えられた時間の受信中の番組の開始時刻から所定の時間単位となるように、番組の記録開始時刻および記録終了時刻を算出する手段と、
上記算出された記録開始時刻および記録終了時刻を予約開始時刻および予約終了時刻として設定すると共に、上記設定された予約開始時刻および予約終了時刻を、毎日または毎週として設定する手段と
からなる番組予約装置。
【請求項２】
受信中の番組を記録するためのコマンドを与える手段と、
上記コマンドが与えられた時間の受信中の番組の開始時刻から所定の時間単位となるように、番組の記録開始時刻および記録終了時刻を算出する手段と、
上記算出された記録開始時刻および記録終了時刻を予約開始時刻および予約終了時刻として設定すると共に、上記設定された予約開始時刻および予約終了時刻を、毎日または毎週として設定する手段と、
上記設定された予約開始時刻および予約終了時刻に、番組を記録する手段を有することを特徴とする記録装置。
【請求項３】
受信中の番組を記録するためのコマンドを与えるステップと、
上記コマンドが与えられた時間の受信中の番組の開始時刻から所定の時間単位となるように、番組の記録開始時刻および記録終了時刻を算出するステップと、
上記算出された記録開始時刻および記録終了時刻を予約開始時刻および予約終了時刻として設定すると共に、上記設定された予約開始時刻および予約終了時刻を、毎日または毎週として設定するステップと
からなる番組予約方法。
【請求項４】
受信中の番組を記録するためのコマンドを与えるステップと、
上記コマンドが与えられた時間の受信中の番組の開始時刻から所定の時間単位となるように、番組の記録開始時刻および記録終了時刻を算出するステップと、
上記算出された記録開始時刻および記録終了時刻を予約開始時刻および予約終了時刻として設定すると共に、上記設定された予約開始時刻および予約終了時刻を、毎日または毎週として設定するステップと、
上記設定された予約開始時刻および予約終了時刻に、番組を記録するステップを有することを特徴とする記録方法。
【発明の詳細な説明】
【技術分野】
【０００１】
この発明は、番組が絶えず記録媒体に記録されるようなテレビジョン受像機に用いて好適な番組予約装置および方法、並びに記録装置および方法に関する。
【背景技術】
【０００２】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【発明の開示】
【発明が解決しようとする課題】
【０００６】
このように、ハードディスクドライブを備えたテレビジョン受像機では、受信中の番組が絶えず記録されており、この番組を簡単に保存することができる。そして、このようなハードディスクドライブを備えたテレビジョン受像機では、更に、簡単に、所望の番組の開始から終了まで、確実に記録できるようにすることが望まれる。
【０００７】
すなわち、従来、ビデオ信号の記録装置としては、ビデオ信号をテープに記録するＶＴＲが広く普及している。ＶＴＲでは、番組受信中に録画キーが押されると、受信中の番組がそのまま記録されるようなっている。このため、ＶＴＲで所望の番組を保存するような場合には、番組の開始時に録画キーを押して、番組の最後には、ストップキーを押さなければならない。ところが、注意を払っていないと、番組の開始時間を逃してしまい、番組の開始時から録画が行なえなくなってしまう。
【０００８】
また、ＶＴＲには、タイマー予約機能が備えられているが、タイマー予約の操作は複雑であり、録画開始時間と録画終了時間を設定するのはたいへんな作業である。このように、従来のＶＴＲでは、番組の開始時から終了時まで、所望の番組を記録することが困難である。
【０００９】
したがって、この発明の目的は、所望の番組を開始から終了まで、簡単に、確実に記録できるようにした番組予約装置および方法、並びに記録装置および方法を提供することにある。
【課題を解決するための手段】
【００１０】
この発明は、受信中の番組を記録するためのコマンドを与える手段と、
コマンドが与えられた時間の受信中の番組の開始時刻から所定の時間単位となるように、番組の記録開始時刻および記録終了時刻を算出する手段と、
算出された記録開始時刻および記録終了時刻を予約開始時刻および予約終了時刻として設定すると共に、設定された予約開始時刻および予約終了時刻を、毎日または毎週として設定する手段と
からなる番組予約装置である。
【００１１】
この発明は、受信中の番組を記録するためのコマンドを与える手段と、
コマンドが与えられた時間の受信中の番組の開始時刻から所定の時間単位となるように、番組の記録開始時刻および記録終了時刻を算出する手段と、
算出された記録開始時刻および記録終了時刻を予約開始時刻および予約終了時刻として設定すると共に、設定された予約開始時刻および予約終了時刻を、毎日または毎週として設定する手段と、
設定された予約開始時刻および予約終了時刻に、番組を記録する手段を有することを特徴とする記録装置である。
【００１２】
この発明は、受信中の番組を記録するためのコマンドを与えるステップと、
コマンドが与えられた時間の受信中の番組の開始時刻から所定の時間単位となるように、番組の記録開始時刻および記録終了時刻を算出するステップと、
算出された記録開始時刻および記録終了時刻を予約開始時刻および予約終了時刻として設定すると共に、設定された予約開始時刻および予約終了時刻を、毎日または毎週として設定するステップと
からなる番組予約方法である。
【００１３】
この発明は、受信中の番組を記録するためのコマンドを与えるステップと、
コマンドが与えられた時間の受信中の番組の開始時刻から所定の時間単位となるように、番組の記録開始時刻および記録終了時刻を算出するステップと、
算出された記録開始時刻および記録終了時刻を予約開始時刻および予約終了時刻として設定すると共に、設定された予約開始時刻および予約終了時刻を、毎日または毎週として設定するステップと、
設定された予約開始時刻および予約終了時刻に、番組を記録するステップを有することを特徴とする記録方法である。
【００１４】
多くの場合、テレビジョン放送番組は、番組の開始時刻から、３０分或いは１時間単位で番組が放送される。このことから、３０分或いは１時間を単位として番組を管理していくことができる。この発明では、番組の記録開始が入力されると、番組の開始時刻から、３０分或いは１時間単位で番組が放送されるものとして、番組の開始時刻及び終了時刻が設定される。このようにして設定された番組の開始時刻から終了時刻の間、受信放送が記録される。
【発明の効果】
【００１５】
この発明によれば、番組の記録開始が入力されると、番組の開始時刻から、３０分或いは１時間単位で番組が放送されるものとして、番組の開始時刻及び終了時刻が設定される。このようにして設定された番組の開始時刻から終了時刻の間、受信放送が記録される。したがって、番組の途中で簡単なキー操作をするだけで、その番組の開始から終了まで、確実に録画することができる。
【発明を実施するための最良の形態】
【００１６】
以下、この発明の実施の形態について図面を参照して説明する。この発明は、テレビジョン受像機にハードディスクドライブが内蔵されているテレビジョン受像機に適用される。このようなハードディスクドライブが備えられたテレビジョン受像機では、見逃したシーンや再度見たいシーンを遡って再生したり、所望の番組を記録再生したりというようなことが可能になる。
【００１７】
図１は、この発明が適用されたテレビジョン受像機の構成を示すものである。図１において、アンテナ１で受信された受信信号は、チューナ回路２に供給される。チューナ回路２には、システムコントローラ１０からチャンネル設定信号が供給される。チューナ回路２で、このチャンネル設定信号に基づいて、所望の受信チャンネルの信号が選択され、この信号が中間周波数信号に変換される。
【００１８】
チューナ回路２の出力が映像中間周波数回路３に供給される。映像中間周波数回路３で、チューナ回路２からの中間周波数信号が増幅され、この信号がビデオ検波される。これにより、例えばＮＴＳＣ方式のコンポジットビデオ信号が得られる。このビデオ信号がビデオソース切り替えスイッチ５の一方の入力端子５Ａに供給される。また、中間周波数回路３の出力の例えば４．５ＭＨｚのビート成分から音声信号が検波される。この出力が音声復調回路１２に供給される。
【００１９】
ビデオソース切り替えスイッチ５の他方の入力端子５Ｂには、外部ビデオ入力端子６からのビデオ信号が供給される。ビデオソース切り替えスイッチ５には、システムコントローラ１０からセレクト信号が供給される。ビデオソース切り替えスイッチ５により、受信されたテレビジョン放送に基づくビデオ信号と、外部ビデオ入力端子６からのビデオ信号とが切り替えられる。
【００２０】
ビデオソース切り替えスイッチ５の出力がビデオ信号処理回路７に供給される。ビデオ信号処理回路７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路８の端子８Ａに供給されると共に、ビデオ信号をハードディスクドライブ３０に保存するために、Ａ／Ｄコンバータ２１に供給される。スイッチ回路８の他方の入力端子８Ｂには、ハードディスクドライブ３０からの再生画面を出力するために、Ｄ／Ａコンバータ３５の出力が供給される。
【００２１】
スイッチ回路８は、受信しているテレビジョン放送又は外部ビデオ入力端子６からのビデオ信号に基づく画面と、ハードディスクドライブ３０からの再生画面とを切り替えるためのものである。スイッチ回路８は、システムコントローラ１０により制御される。受信しているテレビジョン放送又は外部ビデオ入力端子６からのビデオ信号に基づく画面を映出する場合には、スイッチ回路８が端子８Ａ側に切り替えられる。ハードディスクドライブ３０からの再生画面を映出する場合には、スイッチ回路８が端子８Ｂ側に切り替えられる。
【００２２】
スイッチ回路８の出力が映像出力回路９に供給される。映像出力回路９は、スイッチ回路８からのコンポーネントビデオ信号Ｙ、Ｕ、Ｖから、３原色信号Ｒ、Ｇ、Ｂを形成するマトリクス回路と、この３原色信号Ｒ、Ｇ、Ｂをドライブしてカラー受像管１１に供給するための映像増幅回路とを有する。映像出力回路９で、スイッチ回路８からのコンポーネントビデオ信号Ｙ、Ｕ、Ｖが３原色信号Ｒ、Ｇ、Ｂに変換され、カラー受像管１１に供給される。
【００２３】
また、中間周波数回路３の出力の例えば４．５ＭＨｚのビート成分から検波された音声信号は、音声復調回路１２に供給される。音声復調回路１２で、オーディオ信号が復調される。このオーディオ信号がオーディオソース切り替えスイッチ１３の入力端子１３Ａに供給される。
【００２４】
オーディオソース切り替えスイッチ１３の他方の端子１３Ｂには、外部オーディオ入力端子１４からのオーディオ信号が供給される。オーディオソース切り替えスイッチ１３により、受信されたテレビジョン放送に基づくオーディオ信号と、外部オーディオ入力端子１４からのオーディオ信号とが選択される。
【００２５】
オーディオソース切り替えスイッチ１３の出力は、スイッチ回路１５の端子１５Ａに供給されると共に、音声信号をハードディスクドライブ３０に保存するために、Ａ／Ｄコンバータ２５に供給される。スイッチ回路１５の他方の入力端子１５Ｂには、ハードディスクドライブ３０からの音声信号を出力するために、Ｄ／Ａコンバータ３８の出力が供給される。
【００２６】
スイッチ回路１５は、受信しているテレビジョン放送又は外部オーディオ入力端子１４からのオーディオ信号と、ハードディスクドライブ３０から再生されたオーディオ信号との切り替えを行なうものである。スイッチ回路１５は、システムコントローラ１０により制御される。受信しているテレビジョン放送又は外部オーディオ入力端子１４からのオーディオ信号を出力する場合には、スイッチ回路１５が端子１５Ａ側に切り替えられる。ハードディスクドライブ３０からのオーディオ信号を出力する場合には、スイッチ回路１５が端子１５Ｂ側に切り替えられる。
【００２７】
スイッチ回路１５の出力がオーディオアンプ１６に供給される。オーディオアンプ１６で、スイッチ回路１５からのオーディオ信号が増幅される。このオーディオ信号がスピーカ１７に供給される。
【００２８】
また、ビデオ信号処理回路７からのコンポーネントビデオ信号Ｙ、Ｕ、Ｖは、ハードディスクドライブ３０で保存するために、Ａ／Ｄコンバータ２１に供給される。Ａ／Ｄコンバータ２１で、ビデオ信号処理回路１７からのコンポーネントビデオ信号がディジタル化される。Ａ／Ｄコンバータ２１の出力がフィールドメモリ２２に供給される。フィールドメモリ２２の出力が画像圧縮回路２３に供給される。画像圧縮回路２３で、このコンポーネントビデオ信号が圧縮される。画像の圧縮方式としては、例えば、モーションＪＰＥＧが用いられ、１フィールドの符号量が等しくなるように圧縮される。画像圧縮回路２３で圧縮されたビデオデータは、バッファメモリ２４を介して、バス２９に送出される。
【００２９】
オーディオソース切り替え回路１３からのオーディオ信号は、ハードディスクドライブ３０で保存するために、Ａ／Ｄコンバータ２５に供給される。Ａ／Ｄコンバータ２５で、オーディオソース切り替え回路１３からのオーディオ信号がディジタル化される。Ａ／Ｄコンバータ２５の出力が音声圧縮回路２６に供給される。音声圧縮回路２６で、オーディオ信号が圧縮される。音声の圧縮方式としては、例えば、ノンリニアＰＣＭが用いられる。音声圧縮回路２６で圧縮されたオーディオデータは、バッファメモリ２８を介して、バス２９に送出される。
【００３０】
バッファメモリ２４からのビデオデータと、バッファメモリ２８からのオーディオデータは、固定長のブロックに合成される。各ブロックには、ブロックを識別するための所定のヘッダが設けられる。
【００３１】
このように、ブロック化されたビデオデータとオーディオデータが、ＣＰＵ（Central Processing Unit ）からなる記録／再生コントローラ２７の制御の基に、バス２９を介して、ハードディスクドライブ３０に記録される。これにより、ハードディスクドライブ３０にビデオデータ及びオーディオデータが貯えられる。
【００３２】
ハードディスクドライブ３０に記録されているビデオデータ及びオーディオデータは、記録／再生コントローラ２７の制御の基に、再生される。ハードディスクドライブ３０からの再生データは、バス２９を介して、バッファメモリ３１及び３６に供給される。
【００３３】
バッファメモリ３１からのビデオデータは、画像伸長回路３２に供給される。画像伸長回路３２で、例えばモーションＪＰＥＧで圧縮されていたビデオデータから、コンポーネントビデオデータＹ、Ｕ、Ｖが形成される。画像伸長回路３２の出力が、マルチ画面を形成するための画像処理回路３３、フィールドメモリ３４を介して、Ｄ／Ａコンバータ３５に供給される。Ｄ／Ａコンバータ３５で、ディジタルビデオ信号がアナログビデオ信号に変換される。このＤ／Ａコンバータ３５の出力がスイッチ回路８の端子８Ｂに供給される。
【００３４】
また、バッファメモリ３６からのオーディオデータは、音声伸長回路３７に供給される。音声伸長回路３７の出力がＤ／Ａコンバータ３８に供給される。Ｄ／Ａコンバータ３８によりディジタルオーディオ信号がアナログオーディオ信号に変換される。このＤ／Ａコンバータ３８の出力がスイッチ回路１５の端子１５Ｂに供給される。
【００３５】
システムコントローラ１０は、テレビジョン受像機の全体の制御を行なっている。システムコントローラ１０と、記録／再生処理コントローラ２７とは、双方向に接続される。
【００３６】
システムコントローラ１０には、受光部４２を介して、リモートコマンダ５２から入力が与えられる。このリモートコマンダ５２からの入力に基づいて、各種の動作が設定される。システムコントローラ１０の出力が表示発生回路４４に供給される。表示発生回路４４からは、各種の動作設定状態を示す表示信号が発生される。この表示発生回路４４の出力が映像出力回路９に供給され、各種の動作状態が画面上に表示される。また、システムコントローラ１０に対して、タイマー４５が設けられる。タイマー４５は、番組を保存する時間を設定する際に用いられる。
【００３７】
この発明が適用されたテレビジョン受像機は、図２に示すように、リモートコマンダ５２を用いて操作することができる。
【００３８】
リモートコマンダ５２には、テレビジョン受像機の基本的な設定を行なうための各種のキー、すなわち、テレビジョン受像機の電源のオン／オフするための電源スイッチ６１、チャンネル設定を行なうためのチャンネルキー６２、６２、６２、・・・、チャンネルアップ／ダウンキー６３Ａ及び６３Ｂ、音量アップ／ダウンキー６４Ａ及び６４Ｂ、入力ソース切り換えスイッチ６５が配設される。
【００３９】
更に、この発明が適用されたテレビジョン受像機を操作するためのリモートコマンダ５２には、テレビジョン受像機のハードディスクドライブ３０の記録／再生を制御するための各種のキーとして、番組ポーズキー６６、ブックマーク記録キー６７、区間リピートキー６８、キャンセルキー６９、逆転スキップ再生キー７０、逆転高速送りキー７１、２倍速キー７２、正転高速送りキー７３、正転スキップキー７４、オーバービュー検索キー７５、矢印キー７６Ａ、７６Ｂ、決定キー７７が配設される。
【００４０】
番組ポーズキー６６が押されると、受信中の画面がその場で停止され、静止画として表示される。その間、テレビジョン受像機のハードディスクドライブ３０に、その番組が記録される。番組ポーズキー６６が再び押されると、静止画となっている所の場面から、ハードディスクドライブ３０に記録されている番組が再生される。
【００４１】
ブックマーク記録キー６７が押されると、このとき放送されている番組をテレビジョン受像機のハードディスクドライブ３０に保存させることができる。
【００４２】
区間リピートキー６８により、リピート再生が設定される。区間リピートキー６８が最初に押されると、リピートの開始位置が設定され、区間リピートキー６８が次に押されると、リピートの終了位置が設定される。
【００４３】
キャンセルキー６９は、設定された動作や機能をキャンセルさせる際に押される。
【００４４】
逆転スキップ再生キー７０、逆転高速送りキー７１、２倍速キー７２、正転高速送りキー７３、正転スキップキー７４は、変速再生行なうためのキーである。
【００４５】
オーバービュー検索キー７５、矢印キー７６Ａ、７６Ｂ、決定キー７７は、番組検索に用いられる。オーバービュー検索キー７５が押されると、テレビジョン受像機の画面が、中央の画面と、周囲の複数の小画面とに分割される。周囲の小画面には、ハードディスクドライブ３０に記録されている画面の中から、所定時間毎の画面が表示される。矢印キー７６Ａ及び７６Ｂの操作により、複数の画面の中から、所望の画面が選択され、再生開始位置が検索されると、決定キー７７が押される。決定キー７７が押されると、選択された画面から再生が開始される。
【００４６】
上述のように、この発明が適用されたテレビジョン受像機のリモートコマンダ５２には、ブックマークキー６７が設けられており、このブックマークキー６７が押されると、このとき放送されている番組をハードディスクドライブ３０に記録させることができる。このブックマークキー６７による番組の記録について、更に詳述する。
【００４７】
現行のテレビジョンの放送番組は、殆どの場合、３０分或いは１時間を単位として放送されている。例えば、ある放送局のテレビジョンの放送番組は、以下のようになっている。
【００４８】
７時００分〜７時３０分：ニュース
７時３０分〜８時００分：ニュース解説
・・・・・・・・・・・・・・・・・・・・
１０時００分〜１０時３０分：ニュース
１０時３０分〜１１時００分：ドキュメンタリー
１２時００分〜１３時００分：ドラマ
【００４９】
このように、いくつかの例外はあるが、多くの場合、テレビジョン放送番組は、Ｘ時００分（いわゆるＸ時正時）或いはＸ時３０分に始まり、Ｘ時３０分或いはＸ時００分に終了し、３０分或いは１時間を単位として放送されている。このことから、３０分或いは１時間を単位として番組を管理していくことができる。
【００５０】
ブックマークキー６７による番組の管理は、３０分或いは１時間を単位として行なうものである。このような３０分或いは１時間を単位として番組を管理していくと、保存しておきたい番組の所でブックマークキー６７を押せば、その番組を簡単に記録することができる。記録の開始や終了を行なわせるための入力は不要である。
【００５１】
例えば、図３に示すように、２１時００分から２２時００分まで「番組Ｂ」が放送されており、この「番組Ｂ」を記録するとする。従来のＶＴＲ等では、この「番組Ｂ」を記録する場合には、２１時００分で録画キーを押し、２２時００分で停止キーを押す必要がある。図３に示すように、録画キーを押すのが遅れてしまい、２１時００分よりも後の例えば２１時２１分で録画キーが押され、２２時００分で停止キーが押されたとすると、保存される番組は、２１時２１分から２２時００分までの番組となり、「番組Ｂ」の前半が欠けてしまう。
【００５２】
これに対して、ブックマークキー６７による番組の管理は、３０分或いは１時間を単位としているため、このような場合にも、「番組Ｂ」を完全に保存できる。
【００５３】
つまり、図４に示すように、２１時００分から２２時００分まで「番組Ｂ」が放送されており、この「番組Ｂ」を記録するとする。この場合、２１時００分から２２時００分までの１時間の番組が１つの単位として管理されている。したがって、２１時００分から２２時００分までの時間内であれば、どの時点でブックマークキー６７が押されても、１つの単位とされた「番組Ｂ」は完全に保存される。例えば、２１時２１分にブックマークキー６７が押されたとすると、これは、２１時００分から２２時００分の番組を保存するものとして、図４に示すように、２１時００分から２２時００分までの「番組Ｂ」が保存される。
【００５４】
更に、ブックマークキー６７を使って設定した番組は、予約録画により、毎日、或いは毎週録画することができるようになっている。
【００５５】
なお、上述のように、この発明が適用されたテレビジョン受像機では、受信中のビデオ信号が常にハードディスクドライブ３０に記録されている。ハードディスクドライブ３０には、常時、例えば、９０分のビデオ信号が蓄積されるようになっている。そして、リング状のアドレスにより、９０分以上のビデオ信号が蓄積されると、古いビデオ信号を捨てて、新たなビデオ信号を書き込むようになっている。したがって、ブックマークキー６７が押される以前の番組を遡って保存するようにすることが可能である。
【００５６】
なお、記録する番組の１つの単位は、１時間でも良いし、３０分或いは１５分でも良いことは、勿論のことである。また、記録する番組の単位時間を、変更可能とするようにしても良い。
【００５７】
図５は、このようなブックマークキー６７による番組の記録処理を示すフローチャートである。
【００５８】
図５において、ブックマークキー６７が押されたか否かが判断される（ステップＳＴ１）。ブックマークキー６７が押されたら、現在の時刻情報Ｔと、チャンネル情報Ｃが取り込まれる（ステップＳＴ２）。
【００５９】
そして、現在の時刻情報Ｔから、録画開始時刻Ｔstart と、録画終了時刻Ｔend が算出される（ステップＳＴ３）。例えば、番組を１時間単位に管理した場合、録画開始時刻Ｔstart は、現在の時刻Ｔの分、秒の値を「００」にしたものになる。また、録画終了時刻Ｔend は、現在の時刻Ｔの時を１時間繰上げ、分、秒の値を「００」にしたものになる。例えば、現在の時刻Ｔが２１時２１分なら、録画開始時刻Ｔstart は２１時００分００秒となり、録画終了時刻Ｔend は２２時００分００秒となる。
【００６０】
そして、予約設定処理が行なわれる（ステップＳＴ４）。予約設定処理では、予め装置に設定しておいた毎日或いは毎週の予約モードを使って、予約開始時刻Ｔstart 及び予約終了時刻Ｔend が設定され、更に予約チャンネルＣが設定される。
【００６１】
それから、現時刻より前に放送されていた番組の保存処理が行なわれる（ステップＳＴ５）。つまり、ハードディスクドライブ３０には、リング状のアドレスにより、常時、例えば、９０分のビデオ信号が蓄積されるようになっている。ステップＳＴ７で、ハードディスクドライブ３０に保存されているビデオデータのうち、録画開始時刻Ｔstart から現時刻までのビデオデータの領域が消去禁止とされる。
【００６２】
そして、受信中の放送番組の保存処理が行なわれる（ステップＳＴ６）。受信中の放送番組の保存処理は、その間、ハードディスクドライブ３０に保存されているビデオデータの領域を消去禁止とするものである。このような受信中の放送番組の保存処理を行いながら、終了時刻Ｔend になったか否かが判断される（ステップＳＴ７）。終了時刻Ｔend になっていなければ、ステップＳＴ７に戻り、このような受信中の放送番組の保存処理が続けられる。終了時刻Ｔend になったら、録画保存終了処理が行なわれ（ステップＳＴ８）、番組の保存が終了される。
【００６３】
図６は、タイマー予約録画処理を示すフローチャートである。前述のステップＳＴ４で示したように、ブックマークキー６７が押されて番組が保存されると、毎日或いは毎週の予約を行なう予約録画モードに設定される。ステップＳＴ４で説明したように、予約録画モードに設定されていると、予約開始時刻Ｔstart 及び予約終了時刻Ｔend 、予約チャンネルＣが設定されている。
【００６４】
現時刻Ｔが予約開始時刻Ｔstart になったか否かが判断され（ステップＳＴ１１）、現時刻Ｔが予約開始時刻Ｔstart になったら、予約チャンネルＣの受信番組処理が行なわれる（ステップＳＴ１２）。それから、受信中の放送番組の保存処理が行なわれる（ステップＳＴ１３）。受信中の放送番組の保存処理は、その間、ハードディスクドライブ３０に保存されているビデオデータの領域を消去禁止とするものである。このような受信中の放送番組の保存処理を行いながら、予約終了時刻Ｔend になったか否かが判断される（ステップＳＴ１４）。予約終了時刻Ｔend になっていなければ、ステップＳＴ１３に戻り、このような受信中の放送番組の保存処理が続けられる。予約終了時刻Ｔend になったら、録画保存終了処理が行なわれ（ステップＳＴ１５）、番組の保存が終了される。
【００６５】
この発明は、上述したこの発明の一実施形態等に限定されるものではなく、この発明の要旨を逸脱しない範囲内で様々な変形や応用が可能である。
【図面の簡単な説明】
【００６６】
【図１】この発明が適用されたテレビジョン受像機の一例のブロック図である。
【図２】この発明が適用されたテレビジョン受像機におけるリモートコマンダの説明に用いる平面図である。
【図３】番組記録の説明に用いる略線図である。
【図４】番組記録の説明に用いる略線図である。
【図５】番組記録の説明に用いるフローチャートである。
【図６】番組記録の説明に用いるフローチャートである。
【符号の説明】
【００６７】
１０    システムコントローラ
３０    ハードディスクドライブ
５２    リモートコマンダ
６７    ブックマークキー
【図１】
2006320011.tif 000003
【図２】
2006320011.tif 000004
【図３】
2006320011.tif 000005
【図４】
2006320011.tif 000006
【図５】
2006320011.tif 000007
【図６】
2006320011.tif 000008